(57)【要約】【課題】本発明は、静電パッドによってＸ軸、Ｙ軸スクロールを行うことにより、機械部分をなくすことを目的とする。【解決手段】本発明によるマウスは、マウス本体（１）の第１、第２スイッチ（２、３）間に配設した静電パッド（２０）により、Ｘ軸スクロール（２１）及びＹ軸スクロール（２２）を行うようにした構成である。【選択図】        図１
2005055941.tif 000002
【特許請求の範囲】
【請求項１】
マウス本体（１）の右位置（Ａ）と左位置（Ｂ）に設けられた第１スイッチ（２）及び第２スイッチ（３）と、前記マウス本体（１）に設けられたボール（４）の回転位置を検出するための第１光学センサ（５）及び第２光学センサ（６）と、前記マウス本体（１）に設けられ静電気検出式の二軸検出機能を有する静電パッド（２０）と、前記第１、第２スイッチ（２、３）、第１、第２光学センサ（５、６）及び静電パッド（２０）からの各信号の信号処理を行うための信号処理部（１１）とを備え、前記静電パッド（２０）は、少なくともＸ軸スクロール（２１）及びＹ軸スクロール（２２）用に用いられることを特徴とするマウス。
【請求項２】
前記静電パッド（２０）は、厚さ方向に押圧することによるタッピング動作の検出を行うように構成したことを特徴とする請求項１記載のマウス。
【請求項３】
前記静電パッド（２０）は、前記第１、第２スイッチ（２、３）間に設けられていることを特徴とする請求項１又は２記載のマウス。
【発明の詳細な説明】
【０００１】
【発明の属する技術分野】
本発明は、マウスに関し、特に、Ｘ軸スクロール及びＹ軸スクロールを静電気検出式の静電パッドを用い、可動部及び光学センサを用いないで行うことができるようにするための新規な改良に関する。
【０００２】
【従来の技術】
従来、用いられていたこの種のマウスとしては、ボールを用いて座標入力を行う構成が、特許文献１及び２に開示されている。
また、前述の特許文献１及び２に開示された構成にＸ軸スクロール及びＹ軸スクロールの機能を付加した構成としては図５及び図６に開示された構造が採用されていた。
すなわち、図５において符号１で示されるものはマウス本体であり、このマウス本体１の前部の右位置Ａ及び左位置Ｂには第１、第２スイッチ２、３が設けられている。
【０００３】
前記マウス本体１内には下面にその一部が突出するボール４が回転自在に設けられ、このボール４の回転すなわち座標位置は第１、第２光学センサ５、６によって検出され、パソコン１０に接続された信号処理部１１に入力されている。
【０００４】
前記第１、第２スイッチ２、３間には、Ｘ軸スクロール用のＸ軸用ホイール１５及びＹ軸スクロール用で押入型のスイッチ部１６ａを有するＹ軸用ホイール１６が設けられ、各ホイール１５、１６の回転位置検出を行うためのＸ軸用光学センサ１７及びＹ軸用光学センサ１７、１８からの信号は前記信号処理部１１に取り込まれるように構成されている。
従って、前記第１、第２スイッチ２、３からの信号を含む各センサ５、６、１７、１８及びスイッチ機能１６ａからの各信号が前記信号処理部１１を介してパソコン１０に取り込まれるように構成されている。
【０００５】
前述の各信号の中、Ｘ軸用ホイール１５及びＹ軸用ホイール１６を操作することにより、呼び出された情報のＸ軸スクロール及びＹ軸スクロールを行うことができ、スイッチ機能１６ａは、Ｙ軸スクロール動作中のタッピング動作を行うことができる。
【０００６】
【特許文献１】
特開平１１−３５３１０５号公報
【特許文献２】
特開平１１−１４９３４６号公報
【０００７】
【発明が解決しようとする課題】
従来のマウスは、以上のように構成されていたため、次のような課題が存在していた。
すなわち、Ｘ軸スクロールとＹ軸スクロール及びタッピング動作のスイッチ機能が何れも機械式のスイッチで構成されているため、製作に多数の部品を必要とすると共に、信頼性及び耐久性にも問題があった。
【０００８】
本発明は、以上のような課題を解決するためになされたもので、特に、Ｘ軸スクロール及びＹ軸スクロールを静電気検出式の静電パッドを用い、可動部及び光学センサを用いないで行うことができるようにしたマウスを提供することを目的とする。
【０００９】
【課題を解決するための手段】
本発明によるマウスは、マウス本体の右位置と左位置に設けられた第１スイッチ及び第２スイッチと、前記マウス本体に設けられたボールの回転位置を検出するための第１光学センサ及び第２光学センサと、前記マウス本体に設けられ静電気検出式の二軸検出機能を有する静電パッドと、前記第１、第２スイッチ、第１、第２光学センサ及び静電パッドからの各信号の信号処理を行うための信号処理部とを備え、前記静電パッドは、少なくともＸ軸スクロール及びＹ軸スクロール用に用いられる構成であり、また、前記静電パッドは、厚さ方向に押圧することによるタッピング動作の検出を行う構成であり、また、前記静電パッドは、前記第１、第２スイッチ間に設けられている構成である。
【００１０】
【発明の実施の形態】
以下、図面と共に本発明によるマウスの好適な実施の形態について説明する。尚、従来例と同一又は同等部分には同一符号を付して説明する。
図１において、符号１で示されるものはマウス本体であり、このマウス本体１の前部の右位置Ａ及び左位置Ｂには第１、第２スイッチ２、３が設けられている。
【００１１】
前記マウス本体１内には下面にその一部が突出するボール４が回転自在に設けられ、このボール４の回転すなわち座標位置は第１、第２光学センサ５、６によって検出され、パソコン１０に接続された信号処理部１１に入力されている。
【００１２】
前記第１、第２スイッチ２、３間には、静電パッド２０が設けられ、この静電パッド２０は、図２及び図３に示されるように、パネル状に形成されＸ−Ｙの二軸の座標検出ができるようにマトリックス状に形成された周知の構成である。
すなわち、多数の静電式の検出素子がマトリックス状に配設され、図２に示されるように、Ｘ軸スクロール２１及びＹ軸スクロール２２を人手の指２３を介して行うことができるように構成されている。
【００１３】
前記静電パッド２０の静電検出構成は、マトリックス方式であるため、前述の指２３で接触してたどるＸ軸スクロール２１及びＹ軸スクロール２２の軌跡に沿って多数のドット状に形成され、指２３の動きによる軌跡に沿う信号が出力されて、パソコン１０の画面の動き等を変える（スクロール動作）ことができるように構成されている。
また、前述のＸ軸スクロール２１及びＹ軸スクロール２２の動作において、図３で示すように、指２３で静電パッド２０の厚さ方向に、静電パッド２０を押圧することによって、いわゆるタッピング動作のスイッチ動作を行うことができるように構成されている。
【００１４】
前記第１、第２光学センサ５、６、第１、第２スイッチ２、３及び静電パッド２０の出力信号等は、信号処理部１１で信号処理され、パソコン１０に入力できるように構成されている。
従って、前記静電パッド２０からのＸ軸スクロール２１、Ｙ軸スクロール２２及びタッピング動作の各信号は、信号処理部１１を介してパソコン１０に取り込まれ、所要の動作を行うことができる。
【００１５】
【発明の効果】
本発明によるマウスは、以上のように構成されているため、次のような効果を得ることができる。
すなわち、Ｘ軸スクロール、Ｙ軸スクロール及びタッピング動作を、静電パッドで行うため、従来のＸ軸用ホイール及びＹ軸用ホイールからなる機械式構成を用いる必要がなく、機械的部品を全く用いないことにより、大幅な組立て易さ及び信頼性の向上を得ることができる。
【図面の簡単な説明】
【図１】本発明によるマウスを示す斜視図である。
【図２】図１の静電パッドを示す平面図である。
【図３】図２の側面図である。
【図４】本発明によるマウスのブロック図である。
【図５】従来のマウスを示す斜視図である。
【図６】図５のマウスのブロック図である。
【符号の説明】
１    マウス本体
Ａ    右位置
Ｂ    左位置
２    第１スイッチ
３    第２スイッチ
４    ボール
５    第１光学センサ
６    第２光学センサ
１０    パソコン
１１    信号処理部
２０    静電パッド
２１    Ｘ軸スクロール
２２    Ｙ軸スクロール
【図１】
2005055941.tif 000003
【図２】
2005055941.tif 000004
【図３】
2005055941.tif 000005
【図４】
2005055941.tif 000006
【図５】
2005055941.tif 000007
【図６】
2005055941.tif 000008